(57)【要約】【課題】フィルター枠にフィルターを付け忘れることを抑制することを目的とする。【解決手段】フィルター部分１６は、円筒形状のフィルター１７と、フィルター１７を貯水容器１４の軸受け１４ａに回転支持するフィルター枠１８と、フィルター枠１８を回転させる駆動部とを有している。フィルター枠１８は、フィルター１７の内面と接する筒枠と、筒枠の中心軸方向における一方側に固定され、軸受け１４ａに嵌る第１の軸カバー２０と、筒枠の中心軸方向における他方側に着脱自在に設けられ、軸受け１４ａに嵌る第２の軸カバー２１とを有し、第１の軸カバー２０とフィルター１７とが連結部材１９によって連結されることにより、フィルター枠１８にフィルター１７を付け忘れることを抑制した加湿装置を得られる。【選択図】図４
2019174030.tif 000002
【特許請求の範囲】
【請求項１】
吸気口と吹出口とを有する本体ケースと、
前記本体ケースに着脱自在であり、水を貯水する貯水容器と、
前記貯水容器内の水に一部が浸漬し、前記貯水容器に回動自在に設けられたフィルター部分と、
前記フィルター部分に空気を送風する送風機とを備え、
前記フィルター部分は、
円筒形状のフィルターと、
前記フィルターを前記貯水容器の軸受けに回転支持するフィルター枠と、
前記フィルター枠を回転させる駆動部とを有し、
前記フィルター枠は、
前記フィルターの内面と接する筒枠と、
前記筒枠の中心軸方向における一方側に固定され、前記軸受け部に嵌る第１の軸カバーと、
前記筒枠の中心軸方向における他方側に着脱自在に設けられ、前記軸受け部に嵌る第２の軸カバーとを有し、
前記第１の軸カバーと前記フィルターとが連結部材によって連結されていることを特徴とする加湿装置。
【請求項２】
前記連結部材は、前記第１の軸カバーの周縁部と、円筒形状の前記フィルターの軸方向における前記第１の軸カバー側の端部とを連結することを特徴とする請求項１に記載の加湿装置。
【請求項３】
前記連結部材は、前記第１の軸カバーと前記フィルターとの間には、所定の距離を有するように、前記第１の軸カバーと前記フィルターとを連結することを特徴とする請求項１または２に記載の加湿装置。
【発明の詳細な説明】
【技術分野】
【０００１】
本発明は、加湿装置に関するものである。
【背景技術】
【０００２】
従来、この種の加湿装置は、吸気口と吹出口とを有する本体ケースと、本体ケースに着脱自在であり、水を貯水する貯水容器と、貯水容器内の水に一部が浸漬し、貯水容器に回動自在に設けられたフィルター部分と、フィルター部分に空気を送風する送風機とを備えている。フィルター部分は、円筒形状のフィルターと、フィルターを貯水容器の軸受けに回転支持するフィルター枠と、フィルター枠を回転させる駆動部とを有している。フィルター枠は、フィルターの内面と接する筒枠と、筒枠の中心軸方向における一方側に固定され、軸受け部に嵌る第１の軸カバーと、筒枠の中心軸方向における他方側に着脱自在に設けられ、軸受け部に嵌る第１の軸カバーとを有した構成であった特許文献１）。
【先行技術文献】
【特許文献】
【０００３】
【特許文献１】特開２０１７−１５２８６号公報
【発明の概要】
【発明が解決しようとする課題】
【０００４】
このような従来の加湿装置においては、フィルター部分をお手入れする際に、フィルター枠にフィルターを付け忘れる場合があった。
【０００５】
そこで本発明は、フィルター枠にフィルターを付け忘れることを抑制する加湿装置を提供することを目的とする。
【課題を解決するための手段】
【０００６】
そして、この目的を達成するために、本発明は、吸気口と吹出口とを有する本体ケースと、前記本体ケースに着脱自在であり、水を貯水する貯水容器と、前記貯水容器内の水に一部が浸漬し、前記貯水容器に回動自在に設けられたフィルター部分と、前記フィルター部分に空気を送風する送風機とを備え、前記フィルター部分は、円筒形状のフィルターと、前記フィルターを前記貯水容器の軸受けに回転支持するフィルター枠と、前記フィルター枠を回転させる駆動部とを有し、前記フィルター枠は、前記フィルターの内面と接する筒枠と、前記筒枠の中心軸方向における一方側に固定され、前記軸受け部に嵌る第１の軸カバーと、前記筒枠の中心軸方向における他方側に着脱自在に設けられ、前記軸受け部に嵌る第２の軸カバーとを有し、前記第１の軸カバーと前記フィルターとが連結部材によって連結されていることを特徴としたものであり、これにより期の目的を達成するものである。
【発明の効果】
【０００７】
本発明によれば、フィルター枠にフィルターを付け忘れることを抑制する加湿装置を得ることができる。
【図面の簡単な説明】
【０００８】
【図１】本発明の実施の形態１の加湿装置を示す斜視図
【図２】同加湿装置を示す斜視図
【図３】同加湿装置を示す断面図
【図４】同加湿装置の貯水容器を示す斜視図
【図５】同加湿装置のタンク部材を示す斜視図
【図６】同加湿装置のフィルター部分を示す斜視図
【図７】同加湿装置のフィルター部分のフィルターと第２の軸カバーと連結部材を示す斜視図
【発明を実施するための形態】
【０００９】
以下、本発明の実施の形態について図面を参照しながら説明する。
【００１０】
（実施の形態１）
まず、本発明に係る加湿装置について、図１〜図５を用いて説明する。
【００１１】
図１、図２は、本発明の実施の形態１の加湿装置の斜視図である。なお、図１は、加湿装置を前面側から見た図である。図２は、パネル３を開いた加湿装置を前面側から見た図である。図３から、実施の形態１の加湿装置の断面図である。なお、図３は図１のＡ−Ａ線断面図である。図４，５は部品の単品図であり、それぞれ貯水容器部材、タンク部材の斜視図である。
【００１２】
図１〜図３に示すように、本実施の形態の空気浄化装置は、略箱形状の本体ケース１と、送風機７と、加湿部５とを備える。
【００１３】
以下、加湿装置の詳細な構成について説明する。
【００１４】
本体ケース１には、吸気口２と吹出口６とが設けられている。吸気口２は、本体ケース１の両側面に設けられている。吹出口６は、開閉式であって、本体ケース１の天面に設けられている。なお、図１、図２では、吹出口６は閉じた状態である。
【００１５】
本体ケース１の前面側から見て、右側の側面（本体ケース１の一方側の側面）である第１の本体側面１Ａには、開閉可能なパネル３が設けられている。パネル３を開くと、本体ケース１内には縦長四角形状の開口４が設けられている。また、本体ケース１内には加湿部５が設けられている。加湿部５は、図２に示すように、本体ケース１から取り出すことが出来る。なお、本体ケース１の一方側の側面の吸気口２は、パネル３に設けられている。
【００１６】
本体ケース１内には、図３に示すように、吸気口２と吹出口６とを連通する風路８が設けられている。この風路８には、吸気口２から順に、加湿部５（貯水容器１４、フィルター部分１６）、送風機７、吹出口６が設けられている。送風機７のモータ部９によってファン部１０が回転すると、吸気口２から本体ケース１内に入った外部の空気は、順に、加湿部５、送風機７、吹出口６を介して、本体ケース１から吹き出される。
【００１７】
送風機７は、図３、図４に示すように、本体ケース１の中央部に設けられ、モータ部９と、モータ部９により回転するファン部１０と、それらを囲むスクロール形状のケーシング部１１とを備えている。
【００１８】
モータ部９は、ケーシング部１１に固定されている。
【００１９】
ファン部１０は、シロッコファンで、モータ部９から水平方向に延びた回転軸９ａに固定されている。モータ部９の回転軸９ａは、本体ケース１の前面側から背面側に延びている。
【００２０】
ケーシング部１１には、吐出口１２と吸込口１３とが設けられている。吐出口１２は、ケーシング部１１の本体ケース１における上面側に設けられている。また、吸込口１３は、ケーシング部１１の本体ケース１における背面側に設けられている。
【００２１】
加湿部５は、貯水容器１４と、タンク部材１５と、フィルター部分１６とを備えている。
【００２２】
貯水容器１４は、天面に開口が設けられた箱形状をしており、水を貯水できる構造となっている。貯水容器１４は、本体ケース１の下部に配置されており、本体ケース１から水平方向にスライドして着脱可能となっている。貯水容器１４は、タンク部材１５から供給される水を貯水する。貯水容器１４には、後述するフィルター枠１８を回転自在に支持する軸受け１４ａを備えている。軸受け１４ａは、貯水容器１４の底面から上方に延び２本の板形状であり、先端部分には、半円形状の切り欠き１４ｂを有し、この切り欠き１４ｂに、後述するフィルター枠１８の軸が回動自在に入る構造となっている。
【００２３】
図５は、実施の形態１の加湿装置のタンク部材の斜視図である。
【００２４】
図２、図５に示すように、タンク部材１５は、本体ケース１内部の一方側の側面に設置され貯水容器１４から着脱可能な構造となっている。なお、本実施の形態では、タンク部材１５は、第１の本体側面１Ａ側に設置されている。タンク部材１５は、貯水容器１４の底面に設けられたタンク保持部１４ｃに装着されている。タンク部材１５は、水を貯水するタンク１５ａと、タンク１５ａの開口（図示せず）に設けられた蓋１５ｂとを備えている。蓋１５ｂの中央には、開閉部（図示せず）が設けられており、この開閉部が開くと、タンク１５ａ内の水が、貯水容器１４へ供給される。具体的には、タンク１５ａの開口を下向きにして、タンク部材１５を貯水容器１４のタンク保持部１４ｃに取り付けると、タンク保持部１４ｃによって開閉部が開く。つまり、タンク部材１５に水を入れてタンク保持部１４ｃに取り付けると、開閉部が開いてタンク部材１５から貯水容器１４に給水され、貯水容器１４内に水が溜まる。貯水容器１４内の水位が上昇して水が蓋１５ｂのところまで到達するとタンク部材１５の開口が水封されるので給水が停止する。タンク部材１５の内部には水が残っており、貯水容器１４内の水位が下がった場合に都度、タンク１５ａ内部の水が貯水容器１４に給水される。即ち、貯水容器１４内の水位は一定に保たれる。
【００２５】
フィルター部分１６は、貯水容器１４に貯水された水と、送風機７によって本体ケース１内に吸込まれた室内空気とを接触させる部材である。フィルター部分１６は、フィルター１７と、フィルター枠１８と、駆動部（図示せず）とを備えている。
【００２６】
図６は、本発明の実施の形態１の加湿装置のフィルター部分を示す斜視図である。
【００２７】
図４、図６に示すように、フィルター１７は、円筒状に構成され、円周部分に空気が流通可能な孔が設けられている。フィルター１７は、フィルター１７の一端が貯水容器１４の水に浸漬するように、フィルター１７の中心軸を回転中心として貯水容器１４内に、フィルター枠１８によって回転自在に内蔵されている。
【００２８】
フィルター枠１８は、貯水容器１４の軸受け１４ａに回転支持される構造となっている。フィルター枠１８は、フィルター１７の内面と接する筒枠（図示せず）と、第１の軸カバー２０と、第２の軸カバー２１とを備えている。
【００２９】
第１の軸カバー２０は、筒枠の中心軸方向における一方側に固定される円形状の板である第１のカバー２０ａと、第１のカバー２０ａの中心から外方に突出した円柱形状の突起である第１の軸２０ｂとを備えている。第１の軸２０ｂは、貯水容器１４における一方側の軸受け１４ａの切り欠き１４ｂに嵌る構造となっている。第１のカバー２０ａと第１の軸２０ｂとは、一体の構造である。第１の軸２０ｂの先端部分に外周面には、多数の突起である、多数の歯２０ｃを備えている。第１の軸２０ｂの多数の歯２０ｃは、後述する駆動部の歯車と接触し、駆動部の歯車の回転によって、第１の軸２０ｂを介して、フィルター枠１８が回転する構造である。
【００３０】
第２の軸カバー２１は、筒枠の中心軸方向における他方側に着脱自在な円形状の板である第２のカバー２１ａと、第２のカバー２１ａの中心から外方に突出した円柱形状の突起である第２の軸（図示せず）とを備えている。第２の軸は、貯水容器１４における他方側の軸受け１４ａの切り欠き１４ｂに嵌る構造となっている。筒枠と第２のカバー２１ａと第２の軸とは、一体の構造である。
【００３１】
駆動部（図示せず）は、歯車（図示せず）を備え、歯車の回転によってフィルター枠１８を回転させ、フィルター枠１８の回転によってフィルター１７が回転する。フィルター１７の一端が貯水容器１４の水に浸漬するように配置されているので、水と室内空気を連続的に接触させる構造となっている。
【００３２】
フィルター１７のお手入れについて説明する。まず、本体ケース１の下部から、貯水容器１４を水平方向にスライドして、本体ケース１から貯水容器１４を取り外す。次に、貯水容器１４の軸受け１４ａからフィルター１７が装着されたフィルター枠１８を外す。最後に、フィルター枠１８である筒枠から第２の軸カバー２１を外し、更に筒枠からフィルター１７を外して、フィルター１７を押し洗い等のお手入れを行う。フィルター１７を取り付ける場合は、フィルター１７のお手入れの手順の逆の順番に、それぞれの部品を取り付ける。
【００３３】
図７は、本発明の実施の形態１の加湿装置のフィルターと第２の軸カバーと連結部材を示す斜視図である。
【００３４】
図４、図６、図７に示すように、本実施形態における特徴は、第１の軸カバー２０とフィルター１７とが連結部材１９によって連結されていることである。連結部材１９は、第１の軸カバー２０の周縁部と、円筒形状のフィルター１７の軸方向における第１の軸カバー２０側の端部とを連結する構造である。
【００３５】
これにより、第１の軸カバー２０とフィルター１７とが連結部材１９をもちいて連結することで、フィルター１７のお手入れ時に、フィルター１７を筒枠に付け忘れた場合、筒枠に第１の軸カバー２０を装着し、フィルター枠１８を、貯水容器１４における軸受け１４ａの切り欠き１４ｂに、装着する時に、フィルター枠１８にフィルター１７がぶら下がった状態となる。このため、フィルター枠１８を、軸受け１４ａの切り欠き１４ｂに取り付けることが困難になり、フィルター１７を筒枠に即座に付け忘れたことを気が付くことができる。
【００３６】
また、連結部材１９は、第１の軸カバー２０とフィルター１７との間には、所定の距離を有するように、第１の軸カバー２０とフィルター１７とを連結する構造である。連結部材１９の一例は、環状の紐である。
【００３７】
このように、連結部材１９は、第１の軸カバー２０とフィルター１７との間には、所定の距離を有するように、連結しているので、フィルター１７を押し洗い等する場合に、作業が容易に行える。
【産業上の利用可能性】
【００３８】
本発明にかかる加湿装置は、家庭用や事務所用などに使用される加湿装置等として有用である。
【符号の説明】
【００３９】
１    本体ケース
１Ａ    第１の本体側面
２    吸気口
３    パネル
４    開口
５    加湿部
６    吹出口
７    送風機
８    風路
９    モータ部
９ａ    回転軸
１０    ファン部
１１    ケーシング部
１２    吐出口
１３    吸込口
１４    貯水容器
１４ａ    軸受け
１４ｂ    切り欠き
１４ｃ    タンク保持部
１５    タンク部材
１５ａ    タンク
１５ｂ    蓋
１６    フィルター部分
１７    フィルター
１８    フィルター枠
１９    連結部材
２０    第１の軸カバー
２０ａ    第１のカバー
２０ｂ    第１の軸
２０ｃ    歯
２１    第２の軸カバー
２１ａ    第２のカバー
【図１】
2019174030.tif 000003
【図２】
2019174030.tif 000004
【図３】
2019174030.tif 000005
【図４】
2019174030.tif 000006
【図５】
2019174030.tif 000007
【図６】
2019174030.tif 000008
【図７】
2019174030.tif 000009